【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
対向する第１および第２の側を有しており、体または四肢に装着されるように構成されている補強具、保護具、または他の同様の物品において使用するための閉止システムであって、  対向するガイドを備えている複数組の紐ガイドと、  前記対向するガイドの間を往復して延びる紐と、  前記紐へと張力を加えるように構成された回転式の締め付け機構と、  第１および第２の部品を備えている少なくとも１つのクイックリリース機構とを備えており、 前記少なくとも１つのクイックリリース機構の前記第１および第２の部品の係合時に、前記締め付け機構によって前記紐に加えられる張力によって前記対向するガイドが互いに向かって前進させられるとともに、前記対向する第１および第２の側が互いに向かって前進させられ、前記少なくとも１つのクイックリリース機構の前記第１および第２の部品が切り離されたときに、当該閉止システムが前記対向する第１および第２の側の間を延びることがない閉止システム。
【請求項２】
請求項１に記載の閉止システムを備えている保護具。
【請求項３】
前記保護具がすね当てである請求項２に記載の保護具。
【請求項４】
請求項１に記載の閉止システムを備えている補強具。
【請求項５】
膝において使用されるように構成された請求項４に記載の補強具。
【請求項６】
当該閉止システムの少なくとも一部分を露出および隠匿すべく選択的に動作することができるカバーをさらに備えている請求項１に記載の閉止システム。
【請求項７】
前記締め付け機構が、前記ガイドのうちの１つと一体に形成されている請求項１に記載の閉止システム。
【請求項８】
対向する第１および第２の側を有しており、体または四肢に装着されるように構成されている補強具、保護具、または他の同様の物品において使用するための閉止システムであって、  対向するガイドを備えている複数組の紐ガイドと、  前記対向するガイドの間を往復して延びる紐と、  前記紐へと張力を加えて、前記対向するガイドを互いに向かって前進させるとともに、前記対向する第１および第２の側を互いに向かって前進させるように構成された回転式の締め付け機構と、  第１および第２の端部を有しており、前記対向する第１および第２の側の間を延びている複数の保持部材と、  第１および第２の部品を備えている複数のクイックリリース機構とを備えており、  前記クイックリリース機構の前記第１の部品が、物品の前記第１の側の前記ガイドへと取り付けられ、前記クイックリリース機構の前記第２の部品が、前記保持部材の前記第１の端部へと取り付けられ、前記クイックリリース機構の前記第１の部品へと取り付けられるように構成されており、前記保持部材の前記第２の端部が、前記紐へと加えられる張力によって前記保持部材に張力が生じて前記対向する第１および第２の側が互いに向かって引かれるように物品へと取り付けられている閉止システム。
【請求項９】
請求項８に記載の閉止システムを備えている保護具。
【請求項１０】
前記保護具がすね当てである請求項９に記載の保護具。
【請求項１１】
請求項８に記載の閉止システムを備えている補強具。
【請求項１２】
膝において使用されるように構成された請求項１１に記載の補強具。
【請求項１３】
足首において使用されるように構成された請求項１１に記載の補強具。
【請求項１４】
当該閉止システムの少なくとも一部分を露出および隠匿すべく選択的に動作することができるカバーをさらに備えている請求項８に記載の閉止システム。
【請求項１５】
前記保持部材が、該保持部材の長さの調節を可能にするための粗い調節部材を備えている請求項８に記載の閉止システム。
【請求項１６】
対向する第１および第２の側を有している足首／足において使用するための補強具であって、  対向するガイドを備えている複数組の紐ガイドと、  前記対向するガイドの間を往復して延びる紐と、  前記紐へと張力を加えて、前記対向するガイドを互いに向かって前進させるように構成された回転式の締め付け機構と、  当該補強具が閉じられたときに前記第１および第２の側の間に位置するように構成された舌状部とを備えており、  当該補強具の前記第１の側の前記ガイドのすべてが、当該補強具の前記第１の側からの前記紐の解放を可能にしている補強具。
【請求項１７】
前記舌状部が、該舌状部を横切って前記紐を案内するように構成され、前記紐が当該補強具の前記第１の側から完全に取り外されたときに該舌状部を当該補強具へと取り付ける１つ以上のガイドを外表面に備えている請求項１６に記載の補強具。
【請求項１８】
１つ以上の前記ガイドが、開いた空洞を備えており、前記紐が、前記空洞に配置されて該紐への張力によって所定の位置に保持され、前記開いた空洞が、該紐から張力が解放されたときに該紐の前記ガイドからの取り外しを可能にしている請求項１６に記載の補強具。
【請求項１９】
１つ以上の前記ガイドが、当該補強具へと着脱可能に取り付けられ、前記１つ以上のガイドを当該補強具から切り離すことによって、前記紐が当該補強具から取り外される請求項１６に記載の補強具。
【請求項２０】
対向する第１および第２の側と、対向するガイドを備えている複数組の紐ガイドと、前記対向するガイドの間を往復して延びる紐と、前記紐へと張力を加えるように構成された回転式の締め付け機構と、第１および第２の端部を有しており、前記対向する第１および第２の側の間を延びている複数の保持部材と、第１および第２の部品を備えている複数のクイックリリース機構とを備えている物品であり、前記クイックリリース機構の前記第１の部品が、当該物品の前記第１の側の前記ガイドへと取り付けられ、前記第２の部品が前記保持部材の前記第１の端部へと取り付けられ、前記クイックリリース機構の前記第１の部品へと取り付けられるように構成されており、前記保持部材の前記第２の端部が、前記紐へと加えられる張力によって前記保持部材に張力が生じて前記対向する第１および第２の側が互いに向かって引かれるように当該物品へと取り付けられている物品を閉止する方法であって、  前記クイックリリース機構の第１および第２の部品を取り付けて、前記保持部材を当該物品の前記第１の側の前記ガイドへと接続するステップと、  前記締め付け機構を回転させて前記紐へと張力を加えることで、前記対向するガイドを互いに向かって前進させて当該物品を閉止するステップとを含んでいる方法。
【請求項２１】
請求項１に記載の閉止システムを備えている物品であって、 前記対向する第１および第２の側を前記閉止システムとは別個独立に選択的に接続するように構成された初期取り付け機構をさらに備えている物品。
【請求項２２】
前記初期取り付け機構が、Ｖｅｌｃｒｏを備えている請求項２１に記載の物品。
【請求項２３】
請求項８に記載の閉止システムを備えている物品であって、 前記対向する第１および第２の側を前記閉止システムとは別個独立に選択的に接続するように構成された初期取り付け機構をさらに備えている物品。
【請求項２４】
前記初期取り付け機構が、Ｖｅｌｃｒｏを備えている請求項２３に記載の物品。
【請求項２５】
前記クイックリリース機構の前記第１の部品が、前記紐を含んでおり、前記クイックリリース機構の前記第２の部品が、後ろが開いたガイドを備えている請求項１に記載の閉止システム。
【請求項２６】
前記クイックリリース機構の前記第１および第２の部品が切り離されたとき、前記紐を引き締めることで、前記対向する第１および第２の側を互いに向かって前進させることなく、前記対向するガイドが互いに向かって前進させられる請求項１に記載の閉止システム。
【請求項２７】
前記クイックリリース機構の前記第１および第２の部品が切り離されたとき、前記紐を引き締めることで、前記対向する第１および第２の側を互いに向かって前進させることなく、前記対向するガイドが互いに向かって前進させられる請求項８に記載の閉止システム。
【請求項２８】
前記回転式の締め付け機構が、ハウジングを備えており、前記対向する紐ガイドの一方が、前記回転式の締め付け機構の前記ハウジングに一体に形成されている請求項１に記載の閉止システム。
【請求項２９】
前記回転式の締め付け機構が、ハウジングを備えており、前記対向する紐ガイドの一方が、前記回転式の締め付け機構の前記ハウジングに一体に形成されている請求項８に記載の閉止システム。
【請求項３０】
前記対向するガイドが、当該補強具の対向する各側に配置され、前記第１の側の各ガイドを当該補強具の前記第１の側から分離させることによって、前記紐を当該補強具の前記第１の側から取り外すことができる請求項１９に記載の補強具。